【手続補正書】
【提出日】平成26年9月24日(2014.9.24)
【手続補正１】
【補正対象書類名】特許請求の範囲
【補正対象項目名】全文
【補正方法】変更
【補正の内容】
【特許請求の範囲】
【請求項１】
遊技用価値を用いて１ゲームに対して所定数の賭数を設定することによりゲームが開始可能となるとともに、各々が識別可能な複数種類の図柄を変動表示可能な可変表示装置に表示結果が導出されることにより１ゲームが終了し、該可変表示装置に導出された表示結果に応じて入賞が発生可能とされたスロットマシンであって、
演出の制御を行う演出制御手段と、
前記可変表示装置の表示結果が導出される前に入賞の発生を許容するか否かを決定する事前決定手段と、
前記可変表示装置の表示結果を導出させる際に操作される導出操作手段と、
前記導出操作手段が操作されたときに、前記可変表示装置に表示結果を導出させる制御を行う導出制御手段と、
前記事前決定手段の決定結果に関わらず、前記遊技用価値の付与を伴う小役入賞の発生が常に許容されることにより遊技者にとって有利となる特別遊技状態に制御する特別遊技状態制御手段と、
前記特別遊技状態の開始後、遊技者に付与された遊技用価値の総数である特別付与総数を計数する遊技用価値数計数手段と、
前記特別遊技状態において前記特別付与総数が規定値Ｍ（ただし、Ｍは１以上の整数）を超えたときに該特別遊技状態を終了させる特別遊技状態終了手段と、
を備え、
前記特別遊技状態においては、遊技用価値ａ（ただし、ａは１以上の整数）を用いて賭数を設定することによりゲームが開始可能で、かつ前記小役入賞として遊技用価値ｂ（ただし、ｂは１以上の整数）の付与を伴う第１の種類の小役入賞及び遊技用価値ｃ（ただし、ｃはｂと異なる１以上の整数）の付与を伴う第２の種類の小役入賞を発生させることが可能であり、
前記特別付与総数が前記規定値Ｍを超えたときの前記第１の種類の小役入賞の発生回数と前記第２の種類の小役入賞の発生回数との組合せに応じて、前記特別遊技状態が終了したときの前記特別付与総数と前記特別遊技状態において賭数の設定に用いられた遊技用価値の総数との差である純増数が異なる値となるように前記規定値Ｍ、前記遊技用価値ａ、ｂ、ｃがそれぞれ設定され、
前記事前決定手段は、前記特別遊技状態において前記小役入賞とは異なる特殊入賞の発生を許容するか否かを決定し、
前記導出制御手段は、
前記特別遊技状態において前記特殊入賞の発生を許容する旨が決定されていない場合に、前記導出操作手段の操作手順に関わらず、前記第１の種類の小役入賞に対応する入賞表示結果を前記可変表示装置に導出可能で、かつ前記第２の種類の小役入賞に対応する入賞表示結果を前記可変表示装置に導出させない制御を行い、
前記特別遊技状態において前記特殊入賞の発生を許容する旨が決定されている場合に、第１の操作手順で前記導出操作手段の操作がなされたときに、前記第１の種類の小役入賞に対応する入賞表示結果を前記可変表示装置に導出させる制御を行い、前記第１の操作手順とは異なる第２の操作手順で前記導出操作手段の操作がなされたときに、前記第２の種類の小役入賞に対応する入賞表示結果を前記可変表示装置に導出させる制御を行う
ことを特徴とするスロットマシン。
【手続補正２】
【補正対象書類名】明細書
【補正対象項目名】０００９
【補正方法】変更
【補正の内容】
【０００９】
上記課題を解決するために、本発明の請求項１に記載のスロットマシンは、
遊技用価値（メダル）を用いて１ゲームに対して所定数の賭数を設定することによりゲームが開始可能となるとともに、各々が識別可能な複数種類の図柄を変動表示可能な可変表示装置（リール２Ｌ、２Ｃ、２Ｒ）に表示結果が導出表示されることにより１ゲームが終了し、該可変表示装置に導出表示された表示結果に応じて入賞が発生可能とされたスロットマシンであって、
演出の制御を行う演出制御手段と、
前記可変表示装置（リール２Ｌ、２Ｃ、２Ｒ）の表示結果が導出される前に入賞の発生を許容するか否かを決定する事前決定手段（内部抽選）と、
前記可変表示装置（リール２Ｌ、２Ｃ、２Ｒ）の表示結果を導出させる際に操作される導出操作手段（ストップスイッチ８Ｌ、８Ｃ、８Ｒ）と、
前記導出操作手段（ストップスイッチ８Ｌ、８Ｃ、８Ｒ）が操作されたときに、前記可変表示装置（リール２Ｌ、２Ｃ、２Ｒ）に表示結果を導出させる制御を行う導出制御手段と、
前記事前決定手段（内部抽選）の決定結果に関わらず、前記遊技用価値の付与を伴う小役入賞（小役）の発生が常に許容されることにより遊技者にとって有利となる特別遊技状態（ＣＢ）に制御する特別遊技状態制御手段と、
前記特別遊技状態（ＣＢ）の開始後、遊技者に付与された遊技用価値の総数（メダルの払出総数）である特別付与総数（ＣＢ中の払出総数）を計数する遊技用価値数計数手段と、
前記特別遊技状態（ＣＢ）において前記特別付与総数（ＣＢ中の払出総数）が規定値Ｍ（ただし、Ｍは１以上の整数）（１４９枚）を超えたときに該特別遊技状態（ＣＢ）を終了させる特別遊技状態終了手段と、
を備え、
前記特別遊技状態（ＣＢ）においては、遊技用価値ａ（ただし、ａは１以上の整数）を用いて賭数を設定することによりゲームが開始可能で、かつ前記小役入賞として遊技用価値ｂ（ただし、ｂは１以上であり、Ｍよりも小さい整数）の付与を伴う第１の種類の小役入賞（１５枚小役）及び遊技用価値ｃ（ただし、ｃはｂと異なり、１以上であり、Ｍよりも小さい整数）の付与を伴う第２の種類の小役入賞（１４枚小役）を発生させることが可能であり、
前記特別付与総数（ＣＢ中の払出総数）が前記規定値Ｍを超えたときの前記第１の種類の小役入賞（１５枚小役）の発生回数と前記第２の種類の小役入賞（１４枚小役）の発生回数との組合せに応じて、前記特別遊技状態（ＣＢ）が終了したときの前記特別付与総数（ＣＢ中の払出総数）と前記特別遊技状態（ＣＢ）において賭数の設定に用いられた遊技用価値の総数との差である純増数（純増枚数）が異なる値となるように前記規定値Ｍ、前記遊技用価値ａ、ｂ、ｃがそれぞれ設定され（Ｍ：１４９、ａ：１、ｂ：１５、ｃ：１４）、
前記事前決定手段（内部抽選）は、前記特別遊技状態（ＣＢ）において前記小役入賞（小役）とは異なる特殊入賞（再遊技役）の発生を許容するか否かを決定し、
前記導出制御手段は、
前記特別遊技状態（ＣＢ）において前記特殊入賞（再遊技役）の発生を許容する旨が決定されていない場合に、前記導出操作手段（ストップスイッチ８Ｌ、８Ｃ、８Ｒ）の操作手順に関わらず、前記第１の種類の小役入賞（１５枚小役）に対応する入賞表示結果を前記可変表示装置（リール２Ｌ、２Ｃ、２Ｒ）に導出可能で、かつ前記第２の種類の小役入賞（１４枚小役）に対応する入賞表示結果を前記可変表示装置（リール２Ｌ、２Ｃ、２Ｒ）に導出させない制御を行い、
前記特別遊技状態（ＣＢ）において前記特殊入賞（再遊技役）の発生を許容する旨が決定されている場合に、第１の操作手順（右、中、左の順番で停止し、かつ右、中リールでベルを聴牌させる操作手順）で前記導出操作手段（ストップスイッチ８Ｌ、８Ｃ、８Ｒ）の操作がなされたときに、前記第１の種類の小役入賞（１５枚小役）に対応する入賞表示結果を前記可変表示装置（リール２Ｌ、２Ｃ、２Ｒ）に導出させる制御を行い、前記第１の操作手順とは異なる第２の操作手順（右、中、左の順番で停止し、かつ右、中リールでリプレイを聴牌させる操作手順）で前記導出操作手段（ストップスイッチ８Ｌ、８Ｃ、８Ｒ）の操作がなされたときに、前記第２の種類の小役入賞（１４枚小役）に対応する入賞表示結果を前記可変表示装置（リール２Ｌ、２Ｃ、２Ｒ）に導出させる制御を行う
ことを特徴としている。
この特徴によれば、特別付与総数が規定値Ｍを超えたときの第１の種類の小役入賞の発生回数と第２の種類の小役入賞の発生回数との組合せに応じて特別遊技状態における純増数が異なるため、第１の種類の小役入賞の発生回数と第２の種類の小役入賞の発生回数を調整することにより、特別遊技状態における最大の純増数を獲得することが可能となる。そして、そして、特殊入賞の発生を許容する旨を決定したときのみ第２の種類の小役入賞を発生させることが可能なうえに、特殊入賞の発生を許容する旨を決定したときには、導出操作手段の操作手順により第１の種類の小役入賞を発生させるか、または第２の種類の小役入賞を発生させるか、を選択すること可能であり、特別遊技状態において純増数が最大となる回数、既に第２の種類の小役入賞を発生させている状況においてさらに特殊入賞の発生を許容する旨が決定された場合でも、第１の種類の小役入賞を発生させることが可能となるため、特別付与総数が規定値Ｍを超えると終了する特別遊技状態において、遊技者の技術介入により特別付与総数を調整する場合でも、小役入賞をはずすことにより無駄に遊技用価値を消費することがなく、特別遊技状態における最大の純増数を獲得することが可能となる。
尚、所定数の賭数とは、少なくとも１以上の賭数であって、２以上の賭数が設定されることや最大賭数が設定されることでゲームが開始可能となるようにしても良い。また、複数の遊技状態に応じて定められた賭数が設定されることでゲームが開始可能となるようにしても良い。
また、第１の種類の小役入賞は、遊技用価値ｂの付与を伴う小役入賞であれば良く、入賞表示結果の異なる複数の小役入賞であっても良い。同様に、第２の種類の小役入賞は、遊技用価値ｃの付与を伴う小役入賞であれば良く、入賞表示結果の異なる複数の小役入賞であっても良い。
また、前記特別遊技状態においては、前記小役入賞として遊技用価値ｂの付与を伴う第１の種類の小役入賞及び遊技用価値ｃの付与を伴う第２の種類の小役入賞を発生させることが可能であるとは、前記第１の種類の小役入賞及び第２の種類の小役入賞のみを発生させることが可能なものであっても良いし、前記第１の種類の小役入賞及び第２の種類の小役入賞に加えて前記特殊入賞を発生させることが可能なものであっても良い。